(57)【要約】【課題】明るさのばらつきの抑制を図る。【解決手段】本実施形態の照明器具Ａは、複数の器具本体１と、複数の光源ユニット２と、電源装置２４とを有する。電源装置２４は、複数の光源ユニット２に給電するように構成される。そのため、本実施形態の照明器具Ａは、従来例のように複数の光源ユニット２が個々別々の電源装置２４から給電される場合と比較して、各電源装置の出力のばらつきによる光源の明るさ(輝度)のばらつきの抑制を図ることができる。【選択図】        図１
2015198049.tif 000002
【特許請求の範囲】
【請求項１】
複数の器具本体と、複数の光源ユニットと、電源装置とを有し、
前記光源ユニットは長尺に構成され、
前記器具本体は、前記光源ユニットを収容して長尺に構成され、
さらに、前記器具本体は、長手方向における少なくとも一方の端面が、前記長手方向に対して傾斜するように形成され、
前記電源装置は、複数の前記光源ユニットに給電するように構成されることを特徴とする照明器具。
【請求項２】
前記電源装置は、複数の前記光源ユニットのうちの何れか１つの前記光源ユニット、または、複数の前記器具本体のうちの何れか１つの前記器具本体に設けられることを特徴とする請求項１記載の照明器具。
【請求項３】
前記光源ユニットは、１乃至複数の固体発光素子を有する光源と、前記光源を支持して前記器具本体に着脱自在に取り付けられる取付部材と、少なくとも一部が透光性を有する材料で箱形に形成され、且つ前記光源を覆うように前記取付部材に取り付けられるカバーとを備えることを特徴とする請求項１又は２記載の照明器具。
【発明の詳細な説明】
【技術分野】
【０００１】
本発明は、照明器具に関し、特に天井や壁などの造営材に取り付けられる照明器具に関する。
【背景技術】
【０００２】
従来例として、特許文献１記載の蛍光灯照明装置を例示する。この従来例は、直管型の蛍光ランプと、蛍光ランプの口金が着脱可能に装着されるランプソケットと、長手方向の両端にそれぞれランプソケットが設けられた長方形状の反射板と、蛍光ランプを点灯させる点灯素子とからなる構造体を備える。
【０００３】
つまり、特許文献１記載の従来例は、４つの構造体がロの字型に並べてシステム天井に配置されて構成される。
【先行技術文献】
【特許文献】
【０００４】
【特許文献１】特開平１−１３７５０３号公報
【発明の概要】
【発明が解決しようとする課題】
【０００５】
ところで、特許文献１記載の従来例は、４つの構造体にそれぞれ点灯素子(電源装置)が設けられている。そのため、各電源装置の出力のばらつきによる光源(蛍光ランプ)の明るさ(輝度)のばらつきが目立ち易いという問題があった。
【０００６】
本発明は、上記課題に鑑みて為されたものであり、明るさのばらつきの抑制を図ることを目的とする。
【課題を解決するための手段】
【０００７】
本発明の照明器具は、複数の器具本体と、複数の光源ユニットと、電源装置とを有する。前記光源ユニットは長尺に構成される。前記器具本体は、前記光源ユニットを収容して長尺に構成される。さらに、前記器具本体は、長手方向における少なくとも一方の端面が、前記長手方向に対して傾斜するように形成される。前記電源装置は、複数の前記光源ユニットに給電するように構成される。
【発明の効果】
【０００８】
本発明の照明器具は、１つの電源装置から複数の光源ユニットに給電するように構成されるので、明るさのばらつきの抑制を図ることができるという効果がある。
【図面の簡単な説明】
【０００９】
【図１】本発明に係る照明器具の実施形態を示す平面図である。
【図２】同上の断面図である。
【図３】図３Ａは、同上における光源ユニットの平面図を示し、図３Ｂは、同上における光源ユニットの側面図を示す。
【図４】図４Ａは、同上における器具本体と光源ユニットの平面図を示し、図４Ｂは、同上における器具本体と光源ユニットの下面図を示し、図４Ｃは、同上における器具本体と光源ユニットの右側面図を示す。
【図５】同上の平面図である。
【図６】同上と直線状の照明器具を示す平面図である。
【図７】図７Ａは、同上の平面図を示し、図７Ｂは同上の側面図を示す。
【図８】同上の平面図である。
【図９】直線状の照明器具を示す分解斜視図である。
【図１０】本発明に係る照明器具の別の実施形態を示す側面図である。
【発明を実施するための形態】
【００１０】
以下、本発明に係る照明器具の実施形態について、図面を参照して詳細に説明する。なお、以下の説明では、特に断りのない限り、図２に示す向きにおいて上下左右の方向を規定し、さらに図２中の紙面に垂直な方向を前後方向(手前側が前側)と規定する。また、本実施形態の照明器具Ａと基本的な構成が共通である照明器具Ｂの分解斜視図を図９に示す。図９に示す照明器具Ｂにおいて、本実施形態の照明器具Ａと共通の構成要素には同一の符号を付し、本実施形態の照明器具Ａを説明するに当たって、適宜図９を参照する。
【００１１】
本実施形態の照明器具Ａは、図１に示すように複数(図示例では２つ)の光源ユニット２と、複数(図示例では２つ)の器具本体１とで構成される。器具本体１は、吊りボルト２００に固定され、天井材１００の下面(天井面)に直付けされる(図２参照)。光源ユニット２は、器具本体１に対して着脱可能に取り付けられる。
【００１２】
器具本体１は、板金に曲げ加工を施すことで長尺且つ上面(天井材１００との対向面)が開口する扁平な箱状に形成される。また、器具本体１は、天井材１００と反対側(下側)には光源ユニット２を収容するための矩形の凹部１１が長手方向(前後方向)の全長に亘って設けられている(図２及び図９参照)。また、器具本体１の左右方向(幅方向)における凹部１１の両側には、凹部１１の開口端縁から延出し且つ外側に向かって上方へ傾斜する傾斜部１２がそれぞれ設けられている(図２参照)。
【００１３】
また、凹部１１の底板１１１には、電線を通すための孔１１１Ａが前後方向(長手方向)におけるほぼ中央に設けられている。さらに、この底板１１１には、前後方向における両端寄りの位置に吊りボルト２００を通すための孔１１１Ｂがそれぞれ設けられている。そして、底板１１１の下面には端子台２５が取り付けられる(図９参照)。
【００１４】
光源ユニット２は、図２に示すように、ＬＥＤモジュール２２と、ＬＥＤモジュール２２が取り付けられる取付部材２１と、ＬＥＤモジュール２２を覆うようにして取付部材２１に取り付けられるカバー２３とを備える。
【００１５】
ＬＥＤモジュール２２は、前後方向に長い矩形板状に形成されたプリント配線板２２１を有する。プリント配線板２２１は、その下面に複数のＬＥＤ(発光ダイオード)２２２が前後方向(長手方向)に沿って実装されている。また、ＬＥＤモジュール２２の端部には、電源装置２４との間を電気的に接続するためのコネクタ２６が実装されている(図１参照)。なお、これらのコネクタ２６には、電源装置２４から引き出されたケーブル２４０の先端に設けられたプラグ２４１が電気的に接続される(図３参照)。
【００１６】
取付部材２１は、底板２１１と一対の側板２１２とでＵ字状に形成される。底板２１１は、長尺且つ矩形板状に形成される。一対の側板２１２は、底板２１１の左右方向(幅方向)における両端から上下方向(底板２１１と直交する方向)に延出されるように形成される。また、各側板２１２の先端(上端)には、図２に示すように、互いに離れる向き(外向き)に丸められた円筒部２１２Ａがそれぞれ全長に亘って設けられている。なお、ＬＥＤモジュール２２は、例えば取付部材２１の底板２１１の一部を切り起こすことで形成された爪(図示せず)により取付部材２１に固定される。
【００１７】
また、取付部材２１は、長手方向における両端寄りの位置において幅方向の一端側に延びる一対の引掛金具２１４と、幅方向の他端側に配置される一対の引掛ばね２１５とを有している(図２参照)。
【００１８】
カバー２３は、拡散性を有する材料(例えば乳白色のアクリル樹脂)により上面(取付部材２１側の面)が開口する長尺の箱形に形成されている。また、カバー２３は、左右方向(幅方向)において両端側から中央側に行くほど下側への突出量が大きくなるような凸レンズ形状の曲面部２３１を有している(図２参照)。
【００１９】
カバー２３の左右方向における両端部には、図２に示すように、光源ユニット２を器具本体１に取り付けた状態で、上下方向において器具本体１の凹部１１の開口端縁と重なる延出部２３２がそれぞれ設けられている。さらに、カバー２３の左右方向において各延出部２３２の内側には、上側(取付部材２１側)に突出する突壁部２３３がそれぞれ全長に亘って設けられている。また、各突壁部２３３の先端には、内向きに突出する突起部２３３Ａがそれぞれ設けられている。さらに、各突壁部２３３の根元近くには、それぞれ内向きに突出する支持片２３３Ｂが突出している。
【００２０】
電源装置２４は、電源基板(図示せず)と、電源基板を収納する収納ケース２４２とを有する(図３参照)。電源基板は、前後方向に長い矩形板状に形成されたプリント配線板からなり、このプリント配線板には、少なくともＬＥＤ２２２の点灯電力を生成するために必要な回路部品(例えばトランスやダイオード、コンデンサなど)が実装されている。また、収納ケース２４２は、長手方向の一端面より、一対のケーブル２４０が引き出されている。各ケーブル２４０の先端には、それぞれプラグ２４１が設けられている。ただし、電源装置２４は、２つの光源ユニット２のうちの片方の光源ユニット２にだけ搭載される。なお、電源装置２４は、片方の光源ユニット２に搭載される代わりに、２つの器具本体１のうちの片方の器具本体１に搭載されても構わない。
【００２１】
ここで、図９に示す照明器具Ｂの器具本体１及び光源ユニット２は、何れも、上下方向から見た外形が長方形となっている。これに対して本実施形態の照明器具Ａの器具本体１及び光源ユニット２は、何れも、上下方向から見た外形が台形(ただし、一方の脚と底辺とのなす角が直角であり、且つ他方の脚と底辺とのなす角φが４５度である台形)となっている(図４Ａ参照)。なお、２つの器具本体１及び光源ユニット２は、図５に示すように互いに鏡像の関係となるように構成されることが好ましい。
【００２２】
次に、本実施形態の照明器具Ａの施工手順について説明する。まず最初に、作業者は、一方の器具本体１の孔１１１Ａに、天井裏に先行配線された電源線３(図９参照)を通し、さらに室内側に露出する吊りボルト２００を孔１１１Ｂに通した後、吊りボルト２００にナット３００をねじ込んで器具本体１を固定する。続いて、作業者は、他方の器具本体１を同様に吊りボルト２００に固定する。ただし、２台の器具本体１は、図５に示すように、角φが４５度である端面同士が当たるように吊りボルト２００に固定される。
【００２３】
その後、作業者は、一方の器具本体１に設けられる端子台２５に電源線３の端部を接続し、さらに端子台２５の雌型コネクタ２５１と、一方の光源ユニット２の電源装置２４の雄型コネクタ２４３とを接続する。そして、作業者は、一方の光源ユニット２の電源装置２４から引き出されている２つのケーブル２４０の各プラグ２１４を、２台の光源ユニット２のコネクタ２６にそれぞれ差込接続する。
【００２４】
そして最後に、作業者は、器具本体１の一方の側板１１２に設けられた一対の挿通孔１１２Ａにそれぞれ引掛金具２１４の先端を引っ掛けた後、一対の引掛ばね２１５を器具本体１の他方の側板１１２に設けられた引掛部１１２０に引っ掛ける。そして、作業者が、引掛金具２１４を支点として光源ユニット２を持ち上げるように回転させると、引掛ばね２１５が引掛部１１２０に引っ掛かったままで元の状態に戻ることにより、引掛ばね２１５のばね力で光源ユニット２が器具本体１に保持される。以上のような手順に従って、照明器具Ａが天井に施工される(図５参照)。
【００２５】
上述のように本実施形態の照明器具Ａは、複数の器具本体１と、複数の光源ユニット２と、電源装置２４とを有する。光源ユニット２は長尺に構成される。器具本体１は、光源ユニット２を収容して長尺に構成される。さらに、器具本体１は、長手方向における少なくとも一方の端面が、前記長手方向に対して傾斜するように形成される。電源装置２４は、複数の光源ユニット２に給電するように構成される。
【００２６】
本実施形態の照明器具Ａは上述のように構成され、１つの電源装置２４から複数の光源ユニット２に給電される。そのため、本実施形態の照明器具Ａは、従来例のように複数の光源ユニット２が個々別々の電源装置２４から給電される場合と比較して、各電源装置の出力のばらつきによる光源の明るさ(輝度)のばらつきの抑制を図ることができる。
【００２７】
また、本実施形態の照明器具Ａにおいて、電源装置２４は、複数の光源ユニット２のうちの何れか１つの光源ユニット２、または、複数の器具本体１のうちの何れか１つの器具本体１に設けられることが好ましい。
【００２８】
さらに、本実施形態の照明器具Ａにおいて、光源ユニット２は、光源(ＬＥＤモジュール２２)と、取付部材２１と、カバー２３とを備えることが好ましい。光源(ＬＥＤモジュール２２)は、１乃至複数の固体発光素子(ＬＥＤ２２２)を有することが好ましい。取付部材２１は、光源(ＬＥＤモジュール２２)を支持して器具本体１に着脱自在に取り付けられることが好ましい。また、カバー２３は、少なくとも一部が透光性を有する材料で箱形に形成され、且つ光源(ＬＥＤモジュール２２)を覆うように取付部材２１に取り付けられることが好ましい。
【００２９】
ところで、本実施形態の照明器具Ａは、図６に示すように、一方の器具本体１と直線状の照明器具Ｂとが長手方向に並ぶように天井１００に配置されても構わない。また、４つの照明器具Ａが矩形の枠状に並ぶように天井１００に配置されても構わない(図７参照)。すなわち、直線状の照明器具Ｂを矩形枠状に並べて配置した場合、角の部分と、辺の部分とで明るさ(輝度)のむらが目立ち易くなる。これに対して、本実施形態の照明器具Ａを矩形枠状に並べた場合、角の部分と、辺の部分とで明るさ(輝度)のむらが目立ち難いという利点がある。
【００３０】
また、本実施形態の照明器具Ａは、図８に示すように３つの器具本体１と、３つの光源ユニット２と、１つの電源装置２４とで構成されても構わない。これらの器具本体１及び光源ユニット２の上下方向から見た外形は、それぞれの脚と底辺とのなす角φが６０度である等脚台形となるように構成されることが好ましい。器具本体１及び光源ユニット２が上述のように構成される場合、２つの照明器具Ａ(合計６つの器具本体１及び光源ユニット２)を正六角形の枠状に並ぶように天井１００に配置されることが好ましい。なお、器具本体１及び光源ユニット２の上下方向から見た外形における角φは、４５度及び６０度に限定されるものではない。
【００３１】
なお、図１０に示すように、器具本体１は、傾斜部１２と光源ユニット２のカバー２３とが殆ど段差が無く且つなだらかに繋がるように構成されても構わない。
【００３２】
ところで、図９に示す直線状の照明器具Ｂの光源ユニット２は、本実施形態の照明器具Ａの光源ユニット２が備えるＬＥＤモジュール２２と共通のＬＥＤモジュール２２を２つ備えることが好ましい。このように構成される照明器具Ｂと、本実施形態の照明器具Ａとが、図６に示すように並べて配置される場合、照明器具Ａと照明器具Ｂとの間での明るさのむらも、より目立ち難くなる。ただし、直線状の照明器具Ｂの光源ユニット２が３つのＬＥＤモジュール２２を備えている場合、図８に示す照明器具Ａは、このような照明器具Ｂと同等の明るさを得ることができる。
【００３３】
以上説明したように、複数のＬＥＤモジュール２２を搭載した光源ユニット２と器具本体１とで直線状の照明器具Ｂを構成する。そして、同じＬＥＤモジュール２２を１乃至複数搭載した複数の光源ユニット２と、これら複数の光源ユニット２が取り付けられる複数の器具本体１とで本実施形態の照明器具Ａを構成することができる。本実施形態の照明器具Ａにおいて、器具本体１及び光源ユニット２は、上下方向から見た外形における角φが４５度や６０度などの任意の角度になるように構成可能である。そして、このような照明器具Ａにおいても、１つの電源装置２４からそれぞれの光源ユニット２に給電することにより、照明器具Ａの一部と照明器具Ｂとが長手方向に並んでいても、２種類の照明器具Ａ，Ｂの間の明るさのむらをより目立ち難くすることができる。また、２種類の照明器具Ａ，Ｂが離れて設置される場合においても、それぞれ照明器具Ａ，Ｂの明るさをほぼ同じにできるから、人が照明器具Ａ，Ｂ全体を視認したときに明るさの違和感を感じ難くすることができる。
【符号の説明】
【００３４】
Ａ  照明器具
１  器具本体
２  光源ユニット
２４  電源装置
【図１】
2015198049.tif 000003
【図２】
2015198049.tif 000004
【図３】
2015198049.tif 000005
【図４】
2015198049.tif 000006
【図５】
2015198049.tif 000007
【図６】
2015198049.tif 000008
【図７】
2015198049.tif 000009
【図８】
2015198049.tif 000010
【図９】
2015198049.tif 000011
【図１０】
2015198049.tif 000012